(57)【特許請求の範囲】
【請求項１】
屋内気吸込口から吸い込んだ空調対象空間内の空気である屋内気を排気送出口を通して
空調対象空間外に排出するように通流作用する排気ファンと、
外気吸込口から吸い込んだ外気を給気送出口を通して空調対象空間内に供給するように通流作用する給気ファンと、
前記給気ファンにより通流される外気と前記排気ファンにより通流される屋内気とを顕熱交換させる顕熱交換器と、
前記排気ファンにより前記屋内気吸込口から吸い込んだ屋内気を通流させ且つその屋内気の通流により気化可能な状態で揮発性液体が供給される気化用流路、及び、前記給気ファンにより前記外気吸込口から吸い込んだ外気を通流させる冷却用流路を互いに顕熱交換可能に備えた間接気化冷却手段と、
前記気化用流路へ揮発性液体を供給する給液状態と前記気化用流路への揮発性液体の供給を停止する給液停止状態とに切り換え自在な給液断続手段とを備えた空調換気システムであって、
前記給気ファンにより前記外気吸込口から吸い込んだ外気を、前記顕熱交換器、前記間接気化冷却手段の前記冷却用流路の順に通流させる給気路と、
前記排気ファンにより前記屋内気吸込口から吸い込んだ屋内気を、前記間接気化冷却手段の前記気化用流路、前記顕熱交換器の順に通流させて前記排気送出口から排出する通常排気路と、
前記排気ファンにより前記屋内気吸込口から吸い込んだ屋内気を、前記間接気化冷却手段の前記気化用流路を迂回させ、前記顕熱交換器を通流させて前記排気送出口から排出する迂回排気路と、
前記排気ファンにより前記屋内気吸込口から吸い込んだ屋内気を、前記迂回排気路を通流させることなく、前記通常排気路を通して通流させる通常排気状態と、前記迂回排気路を通して通流させる迂回排気状態とに択一的に切り換え可能な排気路切換手段と、
前記排気路切換手段を前記通常排気状態に切り換え、前記給液断続手段を前記給液状態に切り換える冷房モードと、前記排気路切換手段を前記迂回排気状態に切り換え、前記給液断続手段を前記給液停止状態に切り換える暖房モードとに運転モードを切り換え可能な制御手段とが設けられ、
前記気化用流路に、前記揮発用液体として水が供給され、
前記給気ファンが、前記給気路における前記顕熱交換器と前記冷却用流路との間に、前記顕熱交換器に吸い込み作用すると共に前記冷却用流路に吐出作用するように設けられ、
前記通常排気路における前記気化用流路と前記顕熱交換器との間の箇所と、前記給気路における前記顕熱交換器と前記給気ファンとの間の箇所とを連通接続する給排気連通路と、
その給排気連通路を開閉可能な連通路開閉手段とが設けられ、
前記制御手段が、前記冷房モード及び前記暖房モードの夫々では、前記連通路開閉手段を閉じるように構成され、並びに、前記排気路切換手段を前記通常排気状態に切り換え、前記連通路開閉手段を開き、前記給液断続手段を前記給液状態に切り換える加湿暖房モードに運転モードを切り換え可能に構成されている空調換気システム。
【請求項２】
前記制御手段が、前記排気路切換手段を前記通常排気状態に切り換え、前記給液断続手段を前記給液停止状態に切り換える通常換気モードに運転モードを切り換え可能に構成されている請求項１に記載の空調換気システム。
【請求項３】
前記給気路における前記顕熱交換器と前記冷却用流路との間において、外気を加熱すると共にその加熱作動を断続可能な加熱手段が設けられ、
前記制御手段が、前記冷房モードでは前記加熱手段の加熱作動を停止し、前記暖房モードでは前記加熱手段を加熱作動させるように構成されている請求項１又は２に記載の空調換気システム。
【請求項４】
前記間接気化冷却手段を備えた間接気化冷却ユニットと、前記顕熱交換器、前記給気ファン及び前記排気ファンを備えた顕熱交換ユニットとが設けられ、
前記間接気化冷却ユニットに、前記気化用流路の入口に連通する状態の前記屋内気吸込口、前記気化用流路の出口に連通する共にその気化用流路を通流した屋内気を送出する屋内気出口、前記冷却用流路の入口に連通すると共に外気が供給される外気入口、前記冷却用流路の出口に連通する状態の前記給気送出口、前記屋内気吸込口と前記屋内気出口とを前記気化用流路を迂回した状態で連通させる気化用流路バイパス流路、及び、前記屋内気吸込口から吸い込んだ屋内気を前記気化用流路に通流させる気化用流路通流状態と前記気化用流路バイパス流路に通流させる気化用流路バイパス状態とに択一的に切り換え可能な屋内気流路切換手段が設けられ、
前記顕熱交換ユニットに、前記顕熱交換器における互いに顕熱交換可能な第１熱交換流路及び第２熱交換流路のうちの前記第２熱交換流路の入口に連通すると共に屋内気が供給される屋内気入口、前記第２熱交換流路の出口に連通する状態の前記排気送出口、前記第１熱交換流路の入口に連通する状態の前記外気吸込口、及び、前記第１熱交換流路の出口に連通すると共にその第１熱交換流路を通流した外気が送出される外気出口が設けられ、
前記間接気化冷却ユニットの前記屋内気出口と前記顕熱交換ユニットの前記屋内気入口とが屋内気用接続流路にて連通接続され、並びに、前記顕熱交換ユニットの前記外気出口と前記間接気化冷却ユニットの前記外気入口とが外気用接続流路にて連通接続され、
前記排気路切換手段が、前記屋内気流路切換手段にて構成されている請求項１〜３のいずれか１項に記載の空調換気システム。
【発明の詳細な説明】
【技術分野】
【０００１】
本発明は、屋内気吸込口から吸い込んだ空調対象空間内の空気である屋内気を排気送出口を通して空調対象空間外に排出するように通流作用する排気ファンと、外気吸込口から吸い込んだ外気を給気送出口を通して空調対象空間内に供給するように通流作用する給気ファンと、前記給気ファンにより通流される外気と前記排気ファンにより通流される屋内気とを顕熱交換させる顕熱交換器と、前記排気ファンにより前記屋内気吸込口から吸い込んだ屋内気を通流させ且つその屋内気の通流により気化可能な状態で揮発性液体が供給される気化用流路、及び、前記給気ファンにより前記外気吸込口から吸い込んだ外気を通流させる冷却用流路を互いに顕熱交換可能に備えた間接気化冷却手段と、前記気化用流路へ揮発性液体を供給する給液状態と前記気化用流路への揮発性液体の供給を停止する給液停止状態とに切り換え自在な給液断続手段とを備えた空調換気システムに関する。
【背景技術】
【０００２】
かかる空調換気システムは、空調対象空間を冷房しながら換気したり、空調対象空間を暖房しながら換気したりすることが可能に構成されたものであり、例えば、住宅内を略全域にわたって換気する所謂全体換気の用途で用いられる。
つまり、排気ファンにより屋内気を空調対象空間外に排出すると共に、給気ファンにより外気を空調対象空間内に供給することにより、空調対象空間を換気する。そして、冷房では、顕熱交換機において、外気をその外気よりも低温の屋内気と熱交換させて冷却し、間接気化冷却手段において、屋内気により揮発溶液体を気化させる際の気化熱により外気を冷却することになる。一方、暖房では、顕熱交換器において、外気をその外気よりも高温の屋内気と熱交換させて加熱することになる。ちなみに、本願では、「気化」は「蒸発」と同義で使用し、「気化熱」は「蒸発熱」を意味する。
【０００３】
このような空調換気システムにおいて、従来は、給気ファンにより外気吸込口から吸い込んだ外気を、顕熱交換器、間接気化冷却手段の冷却用流路の順に通流させる給気路と、排気ファンにより屋内気吸込口から吸い込んだ屋内気を顕熱交換器を通過させて排出する第１排気路と、排気ファンにより屋内気吸込口から吸い込んだ屋内気を間接気化冷却手段の気化用流路を通過させて排出する第２排気路と、その第２排気路を開閉するダンパとが設けられていた。
暖房時には、ダンパを閉じることにより、屋内気吸込口から吸い込まれた屋内気の全量を顕熱交換器を通して通流させて排出する。そして、外気を顕熱交換器において屋内気と顕熱交換させて加熱して空調対象空間内に供給することにより、空調対象空間を暖房する。
一方、冷房時には、ダンパを開くことにより、屋内気吸込口から吸い込まれた屋内気の一部を顕熱交換器を通して通流させて排出し、残部を間接気化冷却手段の気化用流路を通して通流させて排出する。そして、外気を、顕熱交換器では屋内気吸込口から吸い込まれた屋内気の一部と顕熱交換させて冷却し、更に、間接気化冷却手段では屋内気吸込口から吸い込まれた屋内気の残部により揮発溶液体を気化させる際の気化熱により冷却して、空調対象空間内に供給することにより、空調対象空間を冷房する（例えば、特許文献１参照。）。
【先行技術文献】
【特許文献】
【０００４】
【特許文献１】特開２００６−１０５４２６号公報
【発明の概要】
【発明が解決しようとする課題】
【０００５】
しかしながら、従来の空調換気システムでは、冷房時は、屋内気吸込口から吸い込んだ屋内気の一部を顕熱交換器に通流させ、屋内気吸込口から吸い込んだ屋内気の残部を間接気化冷却手段の気化用流路に通流させることに起因して、以下に説明するような問題があった。
即ち、顕熱交換器において外気と屋内気とを顕熱交換させる顕熱交換量が少なくなり、又、間接気化冷却手段において屋内気により揮発用液体を気化させる量が少なくなるので、間接気化冷却手段での冷熱の発生量が少なくなる。従って、冷房能力が低いという問題があった。
【０００６】
本発明は、かかる実情に鑑みてなされたものであり、その目的は、冷房機能及び暖房機能を備えながら、冷房能力を向上し得る空調換気システムを提供することにある。
【課題を解決するための手段】
【０００７】
本発明の空調換気システムは、屋内気吸込口から吸い込んだ空調対象空間内の空気である屋内気を排気送出口を通して空調対象空間外に排出するように通流作用する排気ファンと、外気吸込口から吸い込んだ外気を給気送出口を通して空調対象空間内に供給するように通流作用する給気ファンと、前記給気ファンにより通流される外気と前記排気ファンにより通流される屋内気とを顕熱交換させる顕熱交換器と、前記排気ファンにより前記屋内気吸込口から吸い込んだ屋内気を通流させ且つその屋内気の通流により気化可能な状態で揮発性液体が供給される気化用流路、及び、前記給気ファンにより前記外気吸込口から吸い込んだ外気を通流させる冷却用流路を互いに顕熱交換可能に備えた間接気化冷却手段と、前記気化用流路へ揮発性液体を供給する給液状態と前記気化用流路への揮発性液体の供給を停止する給液停止状態とに切り換え自在な給液断続手段とを備えたものであって、
前記給気ファンにより前記外気吸込口から吸い込んだ外気を、前記顕熱交換器、前記間接気化冷却手段の前記冷却用流路の順に通流させる給気路と、
前記排気ファンにより前記屋内気吸込口から吸い込んだ屋内気を、前記間接気化冷却手段の前記気化用流路、前記顕熱交換器の順に通流させて前記排気送出口から排出する通常排気路と、
前記排気ファンにより前記屋内気吸込口から吸い込んだ屋内気を、前記間接気化冷却手段の前記気化用流路を迂回させ、前記顕熱交換器を通流させて前記排気送出口から排出する迂回排気路と、
前記排気ファンにより前記屋内気吸込口から吸い込んだ屋内気を、前記迂回排気路を通流させることなく、前記通常排気路を通して通流させる通常排気状態と、前記迂回排気路を通して通流させる迂回排気状態とに択一的に切り換え可能な排気路切換手段と、
前記排気路切換手段を前記通常排気状態に切り換え、前記給液断続手段を前記給液状態に切り換える冷房モードと、前記排気路切換手段を前記迂回排気状態に切り換え、前記給液断続手段を前記給液停止状態に切り換える暖房モードとに運転モードを切り換え可能な制御手段とが設けられ、
前記気化用流路に、前記揮発用液体として水が供給され、
前記給気ファンが、前記給気路における前記顕熱交換器と前記冷却用流路との間に、前記顕熱交換器に吸い込み作用すると共に前記冷却用流路に吐出作用するように設けられ、
前記通常排気路における前記気化用流路と前記顕熱交換器との間の箇所と、前記給気路における前記顕熱交換器と前記給気ファンとの間の箇所とを連通接続する給排気連通路と、
その給排気連通路を開閉可能な連通路開閉手段とが設けられ、
前記制御手段が、前記冷房モード及び前記暖房モードの夫々では、前記連通路開閉手段を閉じるように構成され、並びに、前記排気路切換手段を前記通常排気状態に切り換え、前記連通路開閉手段を開き、前記給液断続手段を前記給液状態に切り換える加湿暖房モードに運転モードを切り換え可能に構成されている点にある。
【０００８】
上記特徴構成によれば、冷房モードでは、給気ファンにより外気吸込口から吸い込まれた外気が、顕熱交換器、間接気化冷却手段の冷却用流路の順に通流する形態で給気路を通流して、空調対象空間に供給され、排気ファンにより屋内気吸込口から吸い込まれた屋内気の全量が、揮発用液体が供給される状態の間接気化冷却手段の気化用流路、顕熱交換器の順に通流する形態で通常排気路を通流して、排気送出口から排出される。
一方、暖房モードでは、給気ファンにより外気吸込口から吸い込まれた外気が、上述のように給気路を通流して空調対象空間に供給され、排気ファンにより屋内気吸込口から吸い込まれた屋内気の全量が、間接気化冷却手段の気化用流路を迂回して、顕熱交換器を通流する形態で迂回排気路を通流して、排気送出口から排出される。
【０００９】
冷房モードでは、外気吸込口から吸い込まれた外気を、顕熱交換器では屋内気吸込口から吸い込まれた屋内気の全量と顕熱交換させて冷却し、更に、間接気化冷却手段では屋内気吸込口から吸い込まれた屋内気の全量により揮発溶液体を気化させる際の気化熱により冷却して、空調対象空間に供給する。つまり、間接気化冷却手段の気化用流路を通過して揮発用液体を気化させた屋内気は、外気よりも低温の状態が保たれて顕熱交換器を通流するので、外気を顕熱交換器において屋内気と顕熱交換させて冷却することが可能である。
従って、顕熱交換器において外気と屋内気とを顕熱交換させる顕熱交換量が多くなり、又、間接気化冷却手段において屋内気により揮発用液体を気化させる量が多くなるため、間接気化冷却手段での冷熱の発生量が多くなるので、冷房能力が向上する。しかも、顕熱交換器を通流する屋内気は、外気との熱交換により温度が上昇する状態であるので、顕熱交換器での結露を防止することができる。
一方、暖房モードでは、外気吸込口から吸い込まれた外気を、顕熱交換器において屋内気吸込口から吸い込まれた屋内気の全量と顕熱交換させて加熱して空調対象空間に供給するので、空調対象空間が暖房される。
要するに、冷房機能及び暖房機能を備えながら、冷房能力を向上し得る空調換気システムを提供することができるようになった。
また、上記特徴構成によれば、加湿暖房モードでは、連通路開閉手段により給排気連通路が開かれるので、給気ファンの吸い込み作用により、水が供給される状態の間接気化冷却手段の気化用流路を通過して加湿された屋内気の一部が抜き取られて、給気ファンに吸い込まれる外気に混合される。
そして、外気に混合される屋内気は、間接気化冷却手段の気化用流路を通過して加湿されているので、そのような屋内気が混合されることにより外気が加湿されることになり、そのように加湿された外気が空調対象空間に供給されることにより、空調対象空間が加湿されながら暖房される。
この場合、顕熱交換器にて屋内気との熱交換により加熱された外気が、間接気化冷却手段の冷却用流路を通流する際には、気化用流路を通流する屋内気により水が気化される際の気化熱により冷却される。そこで、空調対象空間を暖房する能力を向上するには、本特徴構成を後記の第３特徴構成と共に実施して、外気を加熱する能力を向上するのが好ましい。
従って、加湿しながら暖房する加湿暖房モードを選択可能であるので、使い勝手を更に向上することができる。
【００１０】
第２特徴構成は、上記第１特徴構成に加えて、
前記制御手段が、前記排気路切換手段を前記通常排気状態に切り換え、前記給液断続手段を前記給液停止状態に切り換える通常換気モードに運転モードを切り換え可能に構成されている点にある。
【００１１】
上記特徴構成によれば、通常換気モードでは、給気ファンにより外気吸込口から吸い込まれた外気が、顕熱交換器、間接気化冷却手段の冷却用流路の順に通流する形態で給気路を通流して空調対象空間に供給され、排気ファンにより屋内気吸込口から吸い込まれた屋内気の全量が、揮発用液体の供給が停止された状態の間接気化冷却手段の気化用流路、顕熱交換器の順に通流する形態で通常排気路を通流して排気送出口から排出される。間接気化冷却手段の気化用流路には揮発用液体が供給されていないので、その気化用流路での気化熱の奪取がなく、間接気化冷却手段では、気化用流路を通流する屋内気と冷却用流路を通流する外気との間で顕熱交換が行われる。
つまり、外気吸込口から吸い込まれた外気を、顕熱交換器にて、屋内気吸込口から吸い込まれた屋内気の全量と顕熱交換させ、更に、間接気化冷却手段にて、屋内気吸込口から吸い込まれた屋内気の全量と顕熱交換させるので、外気と屋内気との顕熱交換効率が向上する。
ちなみに、空調対象空間が本願の空調換気システムとは別の冷房装置で冷房されている場合は、外気を顕熱交換器と間接気化冷却手段との２段で空調対象空間から排出された低温の屋内気の全量と顕熱交換させて冷却して、空調対象空間に供給する。又、空調対象空間が本願の空調換気システムとは別の暖房装置で暖房されている場合は、外気を顕熱交換器と間接気化冷却手段との２段で空調対象空間から排出された高温の屋内気の全量と顕熱交換させて加熱して、空調対象空間に供給する。
従って、省エネルギを効果的に図りながら空調対象空間を換気する通常換気モードを選択可能であるので、使い勝手を向上することができる。
【００１２】
第３特徴構成は、上記第１又は第２特徴構成に加えて、
前記給気路における前記顕熱交換器と前記冷却用流路との間において、外気を加熱すると共にその加熱作動を断続可能な加熱手段が設けられ、
前記制御手段が、前記冷房モードでは前記加熱手段の加熱作動を停止し、前記暖房モードでは前記加熱手段を加熱作動させるように構成されている点にある。
【００１３】
上記特徴構成によれば、暖房モードでは、外気吸込口から吸い込まれた外気は、顕熱交換器において屋内気との熱交換により加熱された後、更に、加熱手段により加熱されて空調対象空間に供給される。
従って、暖房能力をより一層向上することができる。
【００１６】
第４特徴構成は、上記第１〜第３特徴構成のいずれか１つに加えて、
前記間接気化冷却手段を備えた間接気化冷却ユニットと、前記顕熱交換器、前記給気ファン及び前記排気ファンを備えた顕熱交換ユニットとが設けられ、
前記間接気化冷却ユニットに、前記気化用流路の入口に連通する状態の前記屋内気吸込口、前記気化用流路の出口に連通する共にその気化用流路を通流した屋内気を送出する屋内気出口、前記冷却用流路の入口に連通すると共に外気が供給される外気入口、前記冷却用流路の出口に連通する状態の前記給気送出口、前記屋内気吸込口と前記屋内気出口とを前記気化用流路を迂回した状態で連通させる気化用流路バイパス流路、及び、前記屋内気吸込口から吸い込んだ屋内気を前記気化用流路に通流させる気化用流路通流状態と前記気化用流路バイパス流路に通流させる気化用流路バイパス状態とに択一的に切り換え可能な屋内気流路切換手段が設けられ、
前記顕熱交換ユニットに、前記顕熱交換器における互いに顕熱交換可能な第１熱交換流路及び第２熱交換流路のうちの前記第２熱交換流路の入口に連通すると共に屋内気が供給される屋内気入口、前記第２熱交換流路の出口に連通する状態の前記排気送出口、前記第１熱交換流路の入口に連通する状態の前記外気吸込口、及び、前記第１熱交換流路の出口に連通すると共にその第１熱交換流路を通流した外気が送出される外気出口が設けられ、
前記間接気化冷却ユニットの前記屋内気出口と前記顕熱交換ユニットの前記屋内気入口とが屋内気用接続流路にて連通接続され、並びに、前記顕熱交換ユニットの前記外気出口と前記間接気化冷却ユニットの前記外気入口とが外気用接続流路にて連通接続され、
前記排気路切換手段が、前記屋内気流路切換手段にて構成されている点にある。
【００１７】
上記特徴構成によれば、給気ファンにより顕熱交換ユニットの屋外気吸込口から吸い込まれた外気は、顕熱交換器の第１熱交換流路、外気出口、外気用接続流路、間接気化冷却ユニットの外気入口、間接気化冷却手段の冷却用流路、給気送出口を順に経由する形態で、給気路を通流する。
屋内気流路切換手段が気化用流路通流状態に切り換えられると、排気ファンにより間接気化冷却ユニットの屋内気吸込口から吸い込まれた屋内気の全量が、間接気化冷却手段の気化用流路、屋内気出口、屋内気用接続流路、顕熱交換ユニットの屋内気入口、顕熱交換器の第２熱交換流路、排気送出口を順に経由して通流することになり、屋内気の通流経路が通常排気路に切り換えられる。
一方、屋内気流路切換手段が気化用流路バイパス状態に切り換えられると、排気ファンにより間接気化冷却ユニットの屋内気吸込口から吸い込まれた屋内気の全量が、間接気化冷却手段の気化用流路を迂回して、気化用流路バイパス流路、屋内気出口、屋内気用接続流路、顕熱交換ユニットの屋内気入口、顕熱交換器の第２熱交換流路、排気送出口を順に経由して通流することになり、屋内気の通流経路が迂回排気路に切り換えられる。
【００１８】
ところで、間接気化冷却手段を備えた間接気化冷却ユニットは、例えば、間接気化冷却装置として既存しており、又、顕熱交換器、給気ファン及び排気ファンを備えた顕熱交換ユニットは、例えば、熱交換式換気装置として既存している。
そこで、本特徴構成を採用することにより、既存の間接気化冷却ユニット及び顕熱交換ユニットを多少変更して組み合わせるだけで、本発明に係る空調換気システムを実現できるので、低廉化を図ることができる。
【図面の簡単な説明】
【００１９】
【図１】空調換気システムの全体構成及び冷房モードでの作動状態を示す図
【図２】間接気化冷却手段の概略構成を示す斜視図
【図３】通常暖房モードでの作動状態を示す図
【図４】加湿暖房モードでの作動状態を示す図
【図５】通常換気モードでの作動状態を示す図
【発明を実施するための形態】
【００２０】
以下、図面に基づいて、本発明の実施の形態を説明する。
図１に示すように、空調換気システムは、排気ファン１と、給気ファン２と、顕熱交換器Ｋと、間接気化冷却手段Ｃと、その間接気化冷却手段Ｃの気化用流路３１（詳細は後述する）に水Ｗ（揮発性液体の一例）を供給する給水路３を開閉することにより、その気化用流路３１へ水Ｗを供給する給水状態（給液状態に相当する）と気化用流路３１への水Ｗの供給を停止する給水停止状態（給液停止状態に相当する）とに切り換え自在な給水調整弁４（給液断続手段に相当する）と、この空調換気システムの運転を制御する制御部５（制御手段に相当する）と、その制御部５に各種制御情報を指令する操作部６等を備えて構成されている。尚、給水調整弁４は、気化用流路３１への水Ｗの供給量を調整可能に構成されている。
【００２１】
空調換気システムには、更に、空調対象空間（図示省略）内の空気である屋内気ＲＡを吸い込む屋内気吸込口７、吸い込んだ屋内気ＲＡを排気ＥＡとして送出する排気送出口８、外気ＯＡを吸い込む外気吸込口９、及び、吸い込んだ外気ＯＡを給気ＳＡとして送出する給気送出口１０が備えられている。
そして、排気ファン１は、屋内気吸込口７から吸い込んだ屋内気ＲＡを排気ＥＡとして排気送出口８を通して空調対象空間外に排出するように通流作用すべく設けられている。
又、給気ファン２は、外気吸込口９から吸い込んだ外気ＯＡを給気ＳＡとして給気送出口１０を通して空調対象空間内に供給するように通流作用すべく設けられている。
【００２２】
顕熱交換器Ｋは、第１熱交換流路１１と第２熱交換流路１２とを互いに顕熱交換可能に備えて構成されて、給気ファン２により通流される外気ＯＡを第１熱交換流路１１に通流させ、排気ファン１により通流される屋内気ＲＡを第２熱交換流路１２に通流させて、それら外気ＯＡと屋内気ＲＡとを顕熱交換させるように構成されている。
図２にも示すように、間接気化冷却手段Ｃは、排気ファン１により屋内気吸込口７から吸い込んだ屋内気ＲＡを通流させ且つその屋内気ＲＡの通流により気化可能な状態で水Ｗが給水路３を通して供給される気化用流路３１と、給気ファン２により外気吸込口９から吸い込んだ外気ＯＡを通流させる冷却用流路３２を互いに顕熱交換可能に備えて構成されて、屋内気ＲＡにより水Ｗを気化させる際の気化熱により外気ＯＡを冷却するように構成されている。
【００２３】
この空調換気システムは、例えば、住宅内の略全域を空調対象空間として換気しながら冷暖房する、所謂全体換気の用途で用いられる。このような全体換気の用途で用いられる場合は、図示を省略するが、空調換気システムは、住宅の天井裏に設置される。そして、屋外から外気ＯＡを導入する外気導入ダクトを外気吸込口９に接続し、住宅内の複数の空調対象室夫々の天井の給気口に分岐接続した給気ダクトを給気送出口１０に接続する。又、複数の空調対象室夫々の天井の排気口に分岐接続した排気ダクトを屋内気吸込口７に接続し、屋内気ＲＡを排気ＥＡとして屋外に排出する排気導出ダクトを排気送出口８に接続する。
そして、各空調対象室の屋内気ＲＡを合流状態で排気ダクトを通じて屋内気吸込口７から吸い込んで、排気ＥＡとして排気送出口８から排気導出ダクトを通じて屋外に排出すると共に、外気導入ダクトを通じて外気吸込口９から導入した外気ＯＡを冷却又は加熱して、給気ＳＡとして給気送出口１０から給気ダクトを通じて各空調対象室に供給することにより、住宅内を略全域にわたって換気しながら冷暖房するように構成されている。
【００２４】
図１及び図３に示すように、本発明では、給気ファン２により外気吸込口９から吸い込んだ外気ＯＡを、顕熱交換器Ｋの第１熱交換流路１１、間接気化冷却手段Ｃの冷却用流路３２の順に通流させる給気路Ｐｓと、排気ファン１により屋内気吸込口７から吸い込んだ屋内気ＲＡを、間接気化冷却手段Ｃの気化用流路３１、顕熱交換器Ｋの第２熱交換流路１２の順に通流させて排気送出口８から排出する通常排気路Ｐｅ１（図１参照）と、排気ファン１により屋内気吸込口７から吸い込んだ屋内気ＲＡを、間接気化冷却手段Ｃの気化用流路３１を迂回させ、顕熱交換器Ｋの第２熱交換流路１２を通流させて排気送出口８から排出する迂回排気路Ｐｅ２（図３参照）と、排気ファン１により屋内気吸込口７から吸い込んだ屋内気ＲＡを通常排気路Ｐｅ１を通して通流させる通常排気状態と、迂回排気路Ｐｅ２を通して通流させる迂回排気状態とに択一的に切り換え可能な排気路切換手段Ｖとが設けられている。
【００２５】
次に、空調換気システムの各部について説明を加える。
図１に示すように、この実施形態では、間接気化冷却手段Ｃを備えた間接気化冷却ユニットＵｃと、顕熱交換器Ｋ、給気ファン２及び排気ファン１を備えた顕熱交換ユニットＵｋとが設けられている。
間接気化冷却ユニットＵｃには、気化用流路３１の入口３１ｉに連通する状態の屋内気吸込口７、気化用流路３１の出口３１ｅに連通する共にその気化用流路３１を通流した屋内気ＲＡを送出する屋内気出口１３、冷却用流路３２の入口３２ｉに連通すると共に外気ＯＡが供給される外気入口１４、冷却用流路３２の出口３２ｅに連通する状態の給気送出口１０、屋内気吸込口７と屋内気出口１３とを気化用流路３１を迂回した状態で連通させる気化用流路バイパス流路１５、及び、屋内気吸込口７から吸い込んだ屋内気ＲＡを気化用流路３１に通流させる気化用流路通流状態と気化用流路バイパス流路１５に通流させる気化用流路バイパス状態とに択一的に切り換え可能な屋内気流路切換ダンパ１６が設けられている。
【００２６】
顕熱交換ユニットＵｋには、顕熱交換器Ｋの第２熱交換流路１２の入口１２ｉに連通すると共に屋内気ＲＡが供給される屋内気入口２５、第２熱交換流路１２の出口１２ｅに連通する状態の排気送出口８、第１熱交換流路１１の入口１１ｉに連通する状態の外気吸込口９、及び、第１熱交換流路１１の出口１１ｅに連通すると共にその第１熱交換流路１１を通流した外気ＯＡが送出される外気出口２６が設けられている。
そして、間接気化冷却ユニットＵｃの屋内気出口１３と顕熱交換ユニットＵｋの屋内気入口２５とが内部を屋内気用接続流路２７とする屋内気用接続ダクト２９にて連通接続され、並びに、顕熱交換ユニットＵｋの外気出口２６と間接気化冷却ユニットＵｃの外気入口１４とが内部を外気用接続流路２８とする外気用接続ダクト３０にて連通接続されている。
【００２７】
間接気化冷却ユニットＵｃについて、説明を加える。先ず、間接気化冷却手段Ｃについて説明を加えると、この間接気化冷却手段Ｃは、図２に示すように、内部に気化用流路３１が形成される扁平な矩形箱状の複数の流路形成体３３が、立ち姿勢で互いの間に冷却用流路３２を形成すべく間隔を隔てて並設されて構成されている。
各流路形成体３３における上面部には、気化用流路３１の入口３１ｉ及び出口３１ｅが両端側に振り分けて設けられ、下面部には排水孔（図示省略）が設けられ、気化用流路３１の入口３１ｉが位置する側及び気化用流路３１の出口３１ｅが位置する側夫々の側面部は閉じられている。
又、各流路形成体３３の内部には、毛管現象により含水可能で且つ通気可能な含水体（図示省略）が充填され、各流路形成体３３の上部には、含水体に含水可能なように散水する散水スプレイ３４が設けられている。
図示を省略するが、隣接する流路形成体３３同士の間の空間夫々の上下の開口部が閉じられて、その上下が閉じられた複数の空間夫々が冷却用流路３２に構成される。そして、当該各空間における気化用流路３１の出口３１ｅ側の開口部が冷却用流路３２の入口３２ｉとして用いられ、当該各空間における気化用流路３１の入口３１ｉ側の開口部が冷却用流路３２の出口３２ｅとして用いられる。
【００２８】
図１に示すように、上述のように構成された間接気化冷却手段Ｃが、気化用流路３１の入口３１ｉ及び出口３２ｅを上向きにした姿勢で、直方体形状の冷却ユニット用ケーシング１７内に配設されて、間接気化冷却ユニットＵｃが構成されている。
そして、この冷却ユニット用ケーシング１７内における複数の冷却用流路３２の入口３２ｉが位置する側（以下、外気流入側と記載する場合がある）の側方部分に、それら複数の冷却用流路３２の入口３２ｉが臨む外気流入室１８が区画形成され、同じく複数の冷却用流路３２の出口３２ｅが位置する側（以下、外気流出側と記載する場合がある）の側方部分に、それら複数の冷却用流路３２の出口３２ｅが臨む外気流出室１９が区画形成されている。又、冷却ユニット用ケーシング１７内における複数の気化用流路３１の入口３１ｉ及び出口３１ｅが位置する上側部分に、それら複数の気化用流路３１の入口３１ｉ及び出口３１ｅの両方が臨む屋内気通流室２０が区画形成され、同じく、複数の気化用流路３１の排水孔が位置する下側部分に、それら複数の気化用流路３１の排水孔が臨む排水室２１が仕切り形成されている。
つまり、冷却ユニット用ケーシング１７における屋内気通流室２０内を、屋内気吸込口７と屋内気出口１３とを気化用流路３１を迂回した状態で連通させる気化用流路バイパス流路１５として機能させるように構成されている。
【００２９】
冷却ユニット用ケーシング１７における外気流入側の側面部には、外気入口１４が外気流入室１８を開口させる状態で設けられ、屋内気出口１３が屋内気通流室２０を開口させる状態で設けられている。又、冷却ユニット用ケーシング１７における外気流出側の側面部には、給気送出口１０が外気流出室１９を開口させる状態で設けられ、屋内気吸込口７が屋内気通流室２０を開口させる状態で設けられている。又、冷却ユニット用ケーシング１７における底面部には、排水室２１に溜まった水Ｗを排出する排水口２２が設けられている。
【００３０】
屋内気流路切換ダンパ１６は、屋内気通流室２０を屋内気吸込口７側と屋内気出口１３側との間で遮断すると共に複数の気化用流路３１の入口３１ｉを開口させる立ち姿勢（図１において実線で示す）と、屋内気通流室２０を屋内気吸込口７側と屋内気出口１３とにわたって連通させると共に複数の気化用流路３１の入口３１ｉを閉塞する倒れ姿勢（図１において破線で示す）とに切り換え操作自在に構成されている。つまり、屋内気流路切換ダンパ１６は、立ち姿勢に切り換えられることにより気化用流路通流状態に切り換えられ、倒れ姿勢に切り換えられることにより気化用流路バイパス状態とに切り換えられるように構成されている。
【００３１】
図２に示すように、給水路３は、間接気化冷却手段Ｃの複数の気化用流路３１夫々に対して夫々設けられた複数の散水スプレイ３４に分岐接続されて、複数の気化用流路３１夫々に水Ｗの供給が可能に構成されている。
又、図１に示すように、冷却ユニット用ケーシング１７における外気流出室１９内には、間接気化冷却手段Ｃの複数の冷却用流路３２から流出した外気ＯＡ、即ち、空調対象空間に供給される給気ＳＡの温度を検出する給気温度センサ２３、及び、給気ＳＡの湿度を検出する給気湿度センサ２４が設けられている。
【００３２】
次に、顕熱交換ユニットＵｋについて、説明を加える。先ず、顕熱交換器Ｋについて説明を加えると、この顕熱交換器Ｋは、図示は省略するが、アルミニウム等の熱伝導率の高い材料にて概略直方体又は立方体状の外形に形成され、第１熱交換流路１１と第２熱交換流路１２とが隔壁を隔てて交互に並ぶ形態で、複数の第１熱交換流路１１及び複数の第２熱交換流路１２が積層されている。
そして、この顕熱交換器Ｋにおける第１熱交換流路１１及び第２熱交換流路１２の積層方向視での４つの側面部のうちの１つの側面部には、複数の第１熱交換流路１１の入口１１ｉが形成され、その側面部に対向する側面部には、複数の第１熱交換流路１１の出口１１ｅが形成され、残りの２つの側面部のうちの一方の側面部には、複数の第２熱交換流路１２の入口１２ｉが形成され、その側面部に対向する側面部には、複数の第２熱交換流路１２の出口１２ｅが形成されている。
【００３３】
上述のように構成された顕熱交換器Ｋが、第１熱交換流路１１及び第２熱交換流路１２の積層方向視での４つの側面部を、夫々、直方体形状の顕熱交換ユニット用ケーシング４０内の各隅部に向けた姿勢で、顕熱交換ユニット用ケーシング４０に配設されて、顕熱交換ユニットＵｋが構成されている。
【００３４】
そして、この顕熱交換ユニット用ケーシング４０内における顕熱交換器Ｋの複数の第１熱交換流路１１の入口１１ｉ及び複数の第２熱交換流路１２の出口１２ｅが位置する側（以下、外気流入側と記載する場合がある）の側方部分に、複数の第１熱交換流路１１の入口１１ｉが臨む外気流入室４１、及び、複数の第２熱交換流路１２の出口１２ｅが臨む屋内気流出室４２が互いに仕切られた状態で区画形成されている。又、顕熱交換ユニット用ケーシング４０内における顕熱交換器Ｋの複数の第１熱交換流路１１の出口１１ｅ及び複数の第２熱交換流路１２の入口１２ｉが位置する側（以下、外気流出側と記載する場合がある）の側方部分に、複数の第１熱交換流路１１の出口１１ｅが臨む外気流出室４３、及び、複数の第２熱交換流路１２の入口１２ｉが臨む屋内気流入室４４が互いに仕切られた状態で区画形成されている。
【００３５】
顕熱交換ユニット用ケーシング４０における外気流入側の側面部には、外気吸込口９が外気流入室４１を開口させる状態で設けられ、排気送出口８が屋内気流出室４２を開口させる状態で設けられている。又、顕熱交換ユニット用ケーシング４０における外気流出側の側面部には、外気出口２６が外気流出室４３を開口させる状態で設けられ、屋内気入口２５が屋内気流入室４４を開口させる状態で設けられている。
【００３６】
顕熱交換ユニット用ケーシング４０の外気流出室４３内には、給気ファン２が、その吸込口２ｉを外気流出室４３内に臨ませ、且つ、その吐出口２ｅを外気出口２６に嵌め込んだ状態で設けられている。又、顕熱交換ユニット用ケーシング４０の外気流出室４３内における顕熱交換器Ｋの第１熱交換流路１１の出口１１ｅと給気ファン２との間の部分には、暖房用熱交換器４５が設けられている。この暖房用熱交換器４５には、熱源機４６から加熱された熱媒が熱媒循環路４７を通して循環供給され、この暖房用熱交換器４５により、顕熱交換器Ｋの複数の第１熱交換流路１１から流出して外気流出室４３を通流する外気ＯＡが加熱される。
熱媒循環路４７には、暖房用熱交換器４５への熱媒の供給を断続する熱媒供給断続弁４８、及び、暖房用熱交換器４５への熱媒の供給量を調整する熱媒供給量調整弁４９が設けられている。
【００３７】
又、顕熱交換ユニット用ケーシング４０の屋内気流出室４２内には、排気ファン１が、その吸込口１ｉを屋内気流出室４２内に臨ませ、且つ、その吐出口１ｅを排気送出口８に嵌め込んだ状態で設けられている
【００３８】
又、屋内気用接続ダクト２９と顕熱交換ユニットＵｋの外気流出室４３とが、内部を給排気連通路５１とする給排気連通ダクト５０にて連通接続され、その給排気連通ダクト５０に、給排気連通路５１を開閉自在で、且つ、その開口度を調整自在な連通路開閉ダンパ５２が設けられている。
【００３９】
図１及び図３に示すように、給気ファン２が作動されると、顕熱交換ユニットＵｋの外気吸込口９から吸い込まれた外気ＯＡが、外気流入室４１、顕熱交換器Ｋの複数の第１熱交換流路１１、外気流出室４３内の暖房用熱交換器４５、顕熱交換ユニットＵｋの外気出口２６、外気用接続流路２８、間接気化冷却ユニットＵｃの外気入口１４、外気流入室１８、間接気化冷却手段Ｃの複数の冷却用流路３２、外気流出室１９、給気送出口１０を経由する通流経路にて通流して、給気ＳＡとして空調対象空間に供給され、その通流経路が給気路Ｐｓに相当する。
【００４０】
そして、熱媒供給断続弁４８及び熱媒供給量調整弁４９を開いて暖房用熱交換器４５に熱源機４６にて加熱された熱媒を循環供給すると、外気流出室４３を通流する外気ＯＡが暖房用熱交換器４５により加熱されることになる。又、熱媒供給断続弁４８の開度を変更調整すると、暖房用熱交換器４５への熱媒の循環供給量が変更調整されて、その暖房用熱交換器４５による外気ＯＡの加熱量が変更調整されることになる。
つまり、熱源機４６、熱媒循環路４７、暖房用熱交換器４５、熱媒供給断続弁４８及び熱媒供給量調整弁４９により、給気路Ｐｓにおける顕熱交換器Ｋの第１熱交換流路１１と間接気化冷却手段Ｃの冷却用流路３２との間において、外気ＯＡを加熱すると共にその加熱作動を断続可能な加熱手段Ｈが構成される。
【００４１】
図１に示すように、屋内気流路切換ダンパ１６が気化用流路通流状態に切り換えられ且つ連通路開閉ダンパ５２が閉じられた状態で、排気ファン１が作動されると、間接気化冷却ユニットＵｃの屋内気吸込口７から吸い込まれた屋内気ＲＡが、間接気化冷却手段Ｃの複数の気化用流路３１、屋内気出口１３、屋内気用接続流路２７、顕熱交換ユニットＵｋの屋内気入口２５、屋内気流入室４４、顕熱交換器Ｋの複数の第２熱交換流路１２、屋内気流出室４２、排気送出口８を順に経由する通流経路にて通流して、排気ＥＡとして屋外に排出され、その通流経路が通常排気路Ｐｅ１に相当する。
又、図３に示すように、屋内気流路切換ダンパ１６が気化用流路バイパス状態に切り換えられ且つ連通路開閉ダンパ５２が閉じられた状態で、排気ファン１が作動されると、間接気化冷却ユニットＵｃの屋内気吸込口７から吸い込まれた屋内気ＲＡが、間接気化冷却手段Ｃの複数の気化用流路３１を迂回して、気化用流路バイパス流路１５、屋内気出口１３、屋内気用接続流路２７、顕熱交換ユニットＵｋの屋内気入口２５、屋内気流入室４４、顕熱交換器Ｋの複数の第２熱交換流路１２、屋内気流出室４２、排気送出口８を順に経由する通流経路にて通流して、排気ＥＡとして屋外に排出され、その通流経路が迂回排気路Ｐｅ２に相当する。
【００４２】
つまり、図１に示すように、屋内気流路切換ダンパ１６を気化用流路通流状態に切り換えると、排気ファン１により屋内気吸込口７から吸い込んだ屋内気ＲＡを通常排気路Ｐｅ１を通して通流させる通常排気状態に切り換えられる。一方、図３に示すように、屋内気流路切換ダンパ１６を気化用流路バイパス状態に切り換えると、排気ファン１により屋内気吸込口７から吸い込んだ屋内気ＲＡを迂回排気路Ｐｅ２を通して通流させる迂回排気状態に切り換えられる。
要するに、屋内気流路切換ダンパ１６により、排気路切換手段Ｖが構成されている。
【００４３】
又、図４に示すように、屋内気流路切換ダンパ１６が気化用流路通流状態に切り換えられ且つ連通路開閉ダンパ５２が開かれた状態で、排気ファン１が作動されると、間接気化冷却ユニットＵｃの屋内気吸込口７から吸い込まれた屋内気ＲＡが通常排気路Ｐｅ１を通流すると共に、そのように通常排気路Ｐｅ１を通流する屋内気ＲＡの一部が、給気ファン２の吸い込み作用により屋内気用接続流路２７から給排気連通路５１を通して抜き取られて、顕熱交換ユニットＵｋの外気流出室４３を通流する外気ＯＡに混合される。つまり、顕熱交換ユニットＵｋの外気吸込口９から吸い込まれた外気ＯＡが、顕熱交換ユニットＵｋの外気流出室４３において屋内気ＲＡが混合されながら、給気路Ｐｓを通流して空調対象空間に供給される。
【００４４】
つまり、この実施形態では、給気ファン２が、給気路Ｐｓにおける顕熱交換器Ｋの第１熱交換流路１１と間接気化冷却手段Ｃの冷却用流路３２との間に、顕熱交換器Ｋの第１熱交換流路１１に吸い込み作用すると共に間接気化冷却手段Ｃの冷却用流路３２に吐出作用するように設けられている。又、給排気連通路５１は、通常排気路Ｐｅ１における間接気化冷却手段Ｃの気化用流路３１と顕熱交換器Ｋの第２熱交換流路１２との間の箇所と、給気路Ｐｓにおける顕熱交換器Ｋの第１熱交換流路１１と給気ファン２との間の箇所とを連通接続するように構成されていることになる。
【００４５】
次に、制御部５の制御動作を説明する。
尚、図１、及び、図３〜図５の各図では、給水弁４、熱媒供給断続弁４８及び熱媒供給量調整弁４９の各弁、並びに、連通路開閉ダンパ５２において、開き状態を黒塗りで示し、閉じ状態を白抜きで示す。
本発明では、制御部５が、屋内気流路切換ダンパ１６を気化用流路通流状態に切り換え（即ち、排気路切換手段Ｖを通常排気状態に切り換え）、連通路開閉ダンパ５２を閉じ、給水調整弁４を開弁する（即ち、給水状態に切り換える）冷房モード（図１参照）と、屋内気流路切換ダンパ１６を気化用流路バイパス状態に(即ち、排気路切換手段Ｖを迂回排気状態に)切り換え、連通路開閉ダンパ５２を閉じ、給水調整弁４を閉弁する（即ち、給水停止状態に切り換える）暖房モードとしての通常暖房モード（図３参照）とに運転モードを切り換え可能なように構成されている。
【００４６】
この実施形態では、図４に示すように、制御部５が、更に、屋内気流路切換ダンパ１６を気化用流路通流状態に（即ち、排気路切換手段Ｖを通常排気状態に切り換え）、連通路開閉ダンパ５２を開き、給水調整弁４を開弁する（即ち、給水状態に切り換える）加湿暖房モードに運転モードを切り換え可能にも構成されている。
又、図５に示すように、制御部５が、更に、屋内気流路切換ダンパ１６を気化用流路通流状態に（即ち、排気路切換手段Ｖを通常排気状態に切り換え）、連通路開閉ダンパ５２を閉じ、給水調整弁４を閉弁する（即ち、給水停止状態に切り換える）通常換気モードに運転モードを切り換え可能にも構成されている。
【００４７】
又、制御部５が、冷房モード及び通常換気モードでは熱媒供給断続弁４８及び熱媒供給量調整弁４９を閉じて暖房用熱交換器４５の加熱作動を停止し、通常暖房モード及び加湿暖房モードでは熱媒供給断続弁４８及び熱媒供給量調整弁４９を開いて暖房用熱交換器４５を加熱作動させるように構成されている。
【００４８】
制御部５の制御動作について、説明を加える。
図示を省略するが、操作部６には、この空調換気システムの運転及び停止を指令する運転スイッチ、冷房モード、通常暖房モード、加湿暖房モード及び通常換気モードから運転モードを択一的に選択して指令する運転モード切換スイッチが設けられている。
【００４９】
制御部５は、運転スイッチにより運転開始が指令されると、排気ファン１及び給気ファン２を作動させ、運転スイッチにより運転停止が指令されると、排気ファン１及び給気ファン２を停止させる。
そして、制御部５は、運転モード切換スイッチにより冷房モードが指令されると、図１に示すように、熱媒供給断続弁４８、熱媒供給量調整弁４９及び連通路開閉ダンパ５２を閉じ、給水調整弁４を開弁し、屋内気流路切換ダンパ１６を気化用流路通流状態に切り換え、更に、給気温度センサ２３にて検出される給気ＳＡの温度が予め設定された冷房用設定温度になるように、給水調整弁４の開度を調整する。
【００５０】
図１に示すように、この冷房モードでは、給気ファン２の通流作用により、外気吸込口９から吸い込まれた外気ＯＡが、顕熱交換器Ｋの第１熱交換流路１１、間接気化冷却手段Ｃの冷却用流路３２の順に通流する形態で給気路Ｐｓを通流して、給気ＳＡとして空調対象空間に供給される。並びに、排気ファン１の通流作用により、屋内気吸込口７から吸い込まれた屋内気ＲＡの全量が、水Ｗが供給される状態の間接気化冷却手段Ｃの気化用流路３１、顕熱交換器Ｋの第２熱交換流路１２の順に通流する形態で通常排気路Ｐｅ１を通流して、排気ＥＡとして排気送出口８から屋外に排出される。又、空調対象空間に供給される給気ＳＡの温度が冷房用設定温度になるように、給水調整弁４により間接気化冷却手段Ｃの気化用流路３１への水Ｗの供給量が調整されて、水Ｗの気化による冷熱の発生量が調整される。
【００５１】
つまり、外気吸込口９から吸い込まれた外気ＯＡを、顕熱交換器Ｋでは、屋内気吸込口７から吸い込まれた屋内気ＲＡの全量と顕熱交換させて冷却し、更に、間接気化冷却手段Ｃでは、屋内気吸込口７から吸い込まれた屋内気ＲＡの全量により水Ｗを気化させる際の気化熱により冷却して、給気ＳＡとして空調対象空間に供給するので、住宅内を略全域にわたって換気しながら冷房することができる。
従って、顕熱交換器Ｋにおいて外気ＯＡと屋内気ＲＡとを顕熱交換させる顕熱交換量が多くなり、又、間接気化冷却手段Ｃにおいて屋内気ＲＡにより水Ｗを気化させる量が多くなるため、間接気化冷却手段Ｃでの冷熱の発生量が多くなるので、冷房能力が向上する。
【００５２】
又、制御部５は、運転モード切換スイッチにより通常暖房モードが指令されると、図３に示すように、連通路開閉ダンパ５２及び給水調整弁４を閉じ、熱媒供給断続弁４８及び熱媒供給量調整弁４９を開き、屋内気流路切換ダンパ１６を気化用流路バイパス状態に切り換え、並びに、給気温度センサ２３にて検出される給気ＳＡの温度が予め設定された暖房用設定温度になるように、熱媒供給量調整弁４９の開度を調整する。
【００５３】
図３に示すように、この通常暖房モードでは、給気ファン２の通流作用により、外気吸込口９から吸い込まれた外気ＯＡが、上述のように給気路Ｐｓを通流して、給気ＳＡとして空調対象空間に供給され、並びに、排気ファン１の通流作用により、屋内気吸込口７から吸い込まれた屋内気ＲＡの全量が、間接気化冷却手段Ｃの気化用流路３１を迂回して、顕熱交換器Ｋの第２熱交換流路１２を通流する形態で迂回排気路Ｐｅ２を通流して、排気ＥＡとして排気送出口８から屋外に排出される。又、空調対象空間に供給される給気ＳＡの温度が暖房用設定温度になるように、熱媒供給量調整弁４９により暖房用熱交換器４５への熱媒の循環量が調整されて、暖房用熱交換器４５による外気ＯＡの加熱量が調整される。
つまり、外気吸込口９から吸い込まれた外気ＯＡを、顕熱交換器Ｋにおいて屋内気吸込口７から吸い込まれた屋内気ＲＡの全量と顕熱交換させて加熱し、更に、暖房用熱交換器４５により加熱して、給気ＳＡとして空調対象空間に供給するので、住宅内を略全域にわたって換気しながら暖房することができる。
【００５４】
又、制御部５は、運転モード切換スイッチにより加湿暖房モードが指令されると、図４に示すように、連通路開閉ダンパ５２、給水調整弁４、熱媒供給断続弁４８及び熱媒供給量調整弁４９を開き、屋内気流路切換ダンパ１６を気化用流路通流状態に切り換え、並びに、給気温度センサ２３にて検出される給気ＳＡの温度が暖房用設定温度になるように熱媒供給量調整弁４９の開度を調整すると共に、給気湿度センサ２４にて検出される給気ＳＡの湿度が予め設定された暖房用設定湿度になるように連通路開閉ダンパ５２の開度を調整する。
【００５５】
図４に示すように、この加湿暖房モードでは、連通路開閉ダンパ５２により給排気連通路５１が開かれるので、給気ファン２の吸い込み作用により、水Ｗが供給される状態の間接気化冷却手段Ｃの気化用流路３１を通過して加湿された屋内気ＲＡの一部が、給排気連通路５１を通して顕熱交換ユニットＵｋの外気流出室４３に吸い込まれる。外気吸込口９から吸い込まれた外気ＯＡは、顕熱交換器Ｋの第１熱交換流路１１を通過して屋内気ＲＡとの熱交換により加熱され、続いて、外気流出室４３内の暖房用熱交換器４５を通過して更に加熱されると共に、高湿の屋内気ＲＡが混合されて加湿された後、間接気化冷却手段Ｃの冷却用流路３２を通流して、給気ＳＡとして空調対象空間に供給される。
【００５６】
このように、外気ＯＡは、間接気化冷却手段Ｃの冷却用流路３２を通流する際に、屋内気ＲＡにより気化される水Ｗの気化熱により冷却されるが、給気温度センサ２３にて検出される給気ＳＡの温度が暖房用設定温度になるように暖房用熱交換器４５による加熱量が調整され、又、給気湿度センサ２４にて検出される給気ＳＡの湿度が暖房用設定湿度になるように屋内気ＲＡの混合量が調整されるので、暖房用設定温度及び暖房用設定湿度に調整された給気ＳＡが空調対象空間に供給される。従って、住宅内を略全域にわたって換気しながら、加湿暖房することができる。
【００５７】
又、制御部５は、運転モード切換スイッチにより通常換気モードが指令されると、図５に示すように、連通路開閉ダンパ５２、熱媒供給断続弁４８、熱媒供給量調整弁４９及び給水調整弁４を閉じ、屋内気流路切換ダンパ１６を気化用流路通流状態に切り換える。
図５に示すように、この通常換気モードでは、給気ファン２の通流作用により、外気吸込口９から吸い込まれた外気ＯＡが給気路Ｐｓを通流して、給気ＳＡとして空調対象空間に供給される。並びに、排気ファン１の通流作用により、屋内気吸込口７から吸い込まれた屋内気ＲＡの全量が、水Ｗの供給が停止された状態の間接気化冷却手段Ｃの気化用流路３１、顕熱交換器Ｋの第２熱交換流路１２の順に通流する形態で通常排気路Ｐｅ１を通流して、排気ＥＡとして排気送出口８から屋外に排出される。
つまり、外気吸込口９から吸い込まれた外気ＯＡを、顕熱交換器Ｋにて、屋内気吸込口７から吸い込まれた屋内気ＲＡの全量と顕熱交換させ、更に、間接気化冷却手段Ｃにて、屋内気吸込口７から吸い込まれた屋内気ＲＡの全量と顕熱交換させるので、給気ＳＡとして空調対象空間に供給する外気ＯＡと屋内気ＲＡとの顕熱交換効率を向上することができる。
従って、省エネ化を効果的に図りながら、住宅内を略全域にわたって換気することができる。
【００５８】
〔別実施形態〕
次に別実施形態を説明する。
（イ）  通常排気路Ｐｅ１及び迂回排気路Ｐｅ２を構成する形態は、上記の実施形態において説明した形態に限定されるものではない。例えば、屋内気吸込口７から吸い込まれた屋内気ＲＡを直接に間接気化冷却手段Ｃの気化用流路３１に導く形態で、通常排気路Ｐｅ１を構成し、屋内気吸込口７から吸い込まれた屋内気ＲＡを直接に顕熱交換器Ｋの第２熱交換流路１２に導く形態で、迂回排気路Ｐｅ２を構成しても良い。
【００５９】
（ロ）  排気ファン１及び給気ファン２夫々の設置箇所は、上記の実施形態において例示した箇所に限定されるものではない。例えば、排気ファン１を、間接気化冷却ユニットＵｃの屋内気通流室２０内における屋内気通流方向の下流側の端部や、顕熱交換ユニットＵｋの屋内気流入室４４内に設けても良い。又、給気ファン２を、顕熱交換ユニットＵｋの外気流入室４１内や、間接気化冷却ユニットＵｃの外気流出室１９内に設けても良い。
【００６１】
（ハ）  本発明に係る空調換気システムを構成するに、上記の実施形態では、間接気化冷却手段Ｃを備えた間接気化冷却ユニットＵｃと、顕熱交換器Ｋ、給気ファン２及び排気ファン１を備えた顕熱交換ユニットＵｋとの２つのユニットで構成したが、単一のユニットで構成しても良い。
【００６２】
（ニ）  加熱手段Ｈの具体構成は、上記の実施形態において例示した構成、即ち、熱媒が循環供給される暖房用熱交換器４５を備えた構成に限定されるものではない。例えば、電気ヒータを備えた電気式の加熱手段にて構成しても良い。
【００６３】
（ホ）  上記の実施形態では、本発明に係る空調換気システムを住宅内の略全域を空調対象空間とするように構成したが、例えば、住宅内の１室を空調対象空間とするように構成しても良い。
【産業上の利用可能性】
【００６４】
以上説明したように、冷房機能及び暖房機能を備えながら、冷房能力を向上し得る空調換気システムを提供することができる。
【符号の説明】
【００６５】
１      排気ファン
２      給気ファン
４      給水調整弁（給液断続手段）
５      制御部（制御手段）
７      屋内気吸込口
８      排気送出口
９      外気吸込口
１０    給気送出口
１１    第１熱交換流路
１１ｅ  出口
１１ｉ  入口
１２    第２熱交換流路
１２ｅ  出口
１２ｉ  入口
１３    屋内気出口
１４    外気入口
１５    気化用流路バイパス流路
１６    屋内気流路切換ダンパ（屋内気流路切換手段）
２５    屋内気入口
２６    外気出口
２７    屋内気用接続流路
２８    外気用接続流路
３１    気化用流路
３１ｅ  出口
３１ｉ  入口
３２    冷却用流路
３２ｅ  出口
３２ｉ  入口
５１    給排気連通路
５２    連通路開閉ダンパ（連通路開閉手段）
Ｃ      間接気化冷却手段
Ｈ      加熱手段
Ｋ      顕熱交換器
ＯＡ    外気
Ｐｅ１  通常排気路
Ｐｅ２  迂回排気路
Ｐｓ    給気路
ＲＡ    屋内気
Ｕｃ    間接気化冷却ユニット
Ｕｋ    顕熱交換ユニット
Ｖ      排気路切換手段
Ｗ      水（揮発性液体）
【図１】
0005925004.tif 000002
【図２】
0005925004.tif 000003
【図３】
0005925004.tif 000004
【図４】
0005925004.tif 000005
【図５】
0005925004.tif 000006